Podtech/llm-jp-corpus-v4-ja_patent huggingface dataset:
(57)【要約】【目的】水晶振動子の特に金属カバーの原価低減を計る。【構成】凹状とした容器本体に水晶片を収容し、金属カバーを被せて前記水晶片を密閉封入してなる水晶振動子において、前記金属カバーは例えばＳＵＳ４３０としたステンレスである構成とする。前記カバーの一主面には銀ロウが設けられて前記容器本体とはシーム溶接又はビーム溶接とする。前記カバーの一主面にはＮｉ層を形成し、前記Ｎｉ層上に銀ロウが設けられた構成とする。【選択図】図１
2005151493.tif 000002
【特許請求の範囲】
【請求項１】
凹状とした容器本体に水晶片を収容し、金属カバ−を被せて前記水晶片を密閉封入してなる水晶振動子において、前記金属カバ−はステンレスである水晶振動子。
【請求項２】
前記ステンレスはＳＵＳ４３０である請求項１の水晶振動子。
【請求項３】
前記カバ−の一主面には銀ロウが設けられて前記容器本体とはシ−ム溶接又はビ−ム溶接とした請求項１の水晶振動子。
【請求項４】
前記カバ−の一主面にはＮｉ層を形成し、前記Ｎｉ層上に銀ロウが設けられた請求項３の水晶振動子。
【発明の詳細な説明】
【技術分野】
【０００１】
本発明は水晶振動子を技術分野とし、特に水晶片を密閉封入する金属カバーに関する。
【背景技術】
【０００２】
（発明の背景）水晶振動子は周波数及び時間の基準源として、各種電子機器の発振器に組み込まれる。近年では、需要も拡大し、安価な水晶振動子が求められている。
【０００３】
（従来技術の一例）第３図は一従来例を説明する図で、同図（ａ）は水晶振動子の断面図、同図（ｂ）は金属カバー３の一部拡大断面図である。
【０００４】
水晶振動子は凹状とした容器本体１に水晶片２を収容し、金属カバー３を被せて密閉封入してなる。容器本体１は積層セラミックからなり、外表面（底面及び側面）に図示しない表面実装用の外部端子を有する。そして、開口面にはシーム溶接用の金属リング４を有する。
【０００５】
水晶片２は両主面に図示しない励振電極を有し、例えば一端部両側に引出電極を延出する。そして、凹部内底面に設けられた水晶端子上に引出電極の延出した一端部両側を導電性接着剤５によって固着してなる。水晶端子は外部端子に電気的に接続する。
【０００６】
金属カバー３は表面をＮｉ層６としたコバールからなり、一主面に銀ロウ７を有する。そして、シーム溶接によって銀ロウ７を溶融して容器本体１に接合し、水晶片２を密閉封入する。
【発明の開示】
【発明が解決しようとする課題】
【０００７】
（従来技術の問題点）しかしながら、上記構成の水晶振動子では、線膨張係数が容器本体１と接近しているため、金属カバー３にはコバールが採用される。これにより、熱衝撃特性を良好にする。そして、コバールは鉄を主成分とするので腐食しやすいことから、Ｎｉ層６を施す。これらのことから、金属カバー３自体が高く原価を押し上げる要因となっていた。なお、容器本体１（セラミック）の線膨張係数は約７〜８であり、金属カバー３（コバール）は約４〜５である。
（発明の目的）本発明は水晶振動子の原価低減を目的とする。
【課題を解決するための手段】
【０００８】
本発明は、特許請求の範囲（請求項１）に示したように、凹状とした容器本体に水晶片を収容し、金属カバーを被せて前記水晶片を密閉封入してなる水晶振動子において、前記金属カバーはステンレスである構成とする。
【０００９】
本発明の請求項２では前記ステンレスはＳＵＳ４３０とする。また、同請求項３では前記金属カバーの一主面には銀ロウが設けられて前記容器本体とはシーム溶接叉はビーム溶接とした構成とする。さらに、同請求項４では前記金属カバーの一主面にはＮｉ層を例えばメッキ、クラッド、スパッタ等により形成し、前記Ｎｉ層上に銀ロウが設けられた構成とする。
【発明の効果】
【００１０】
本発明（請求項１）では金属カバーをステンレスとするので、耐腐食性が良好となりＮｉ層を必要としない。したがって、材料自体が安価でＮｉも要しないので、原価低減に寄与する。また、ステンレスの線膨張係数は一般に１０〜１６であり、容器本体のそれとに接近する。
【００１１】
請求項２ではステンレスをＳＵＳ４３０とするので、線膨張係数を約１０として容器本体に最も接近する。また、請求項３ではカバーの一主面に銀ロウを設けたので、シーム溶接やビーム溶接を採用できる。請求項４ではＮｉ層を介在させたので、ステンレスと銀ロウとの馴染みをよくし接合強度を高める。
【実施例】
【００１２】
第１図は本発明の一実施例を説明する水晶振動子特に金属カバーの拡大図である。なお、前従来例と同一部分には同番号を付与してその説明は簡略又は省略する。
【００１３】
水晶振動子は、前述したように表面実装型とした積層セラミックからなる凹状の容器本体１に水晶片２を収容して、金属カバー３をシーム溶接によって接合し、水晶片２を密閉封入してなる。
【００１４】
そして、この実施例では、金属カバー３はステンレスからなり、特にＳＵＳ４３０とする。そして、全面あるいは外周部にシーム溶接用の銀ロウ７を塗布する。
【００１５】
このような構成であれば、ステンレスをカバーとするので材料費が基本的に安価になる。また、この例では、Ｎｉ層６を要しないのでさらに安価になる。これらのことから、材料費の原価低減を促進する。また、ＳＵＳ４３０とするので線膨張係数を約１０として容器本体１に接近し、熱衝撃特性を良好にする。
【００１６】
（他の事項）
上記実施例では金属カバー３（ステンレス）と銀ロウ７とを直接接合したが、例えば第２図に示したようにステンレス上にＮｉ層６を形成して銀ロウ７を設けても良い。これにより、Ｎｉ層６とステンレス及び銀ロウ７との馴染みがよく、接合強度を高められる。この場合でも、ステンレスを母材とするので原価を低減できる。なお、腐食防止に比較してＮｉ層の厚みを小さくできる。
【００１７】
また、封止はシーム溶接としたが、電子ビームを照射して銀ロウを溶融するビーム溶接であってもよい。さらに、これらに限らず、例えばＡｕＳｎ等の共晶合金を金属カバー３の全面又は外周に施し、加熱溶融して接合してもよい。
【図面の簡単な説明】
【００１８】
【図１】本発明の一実施例を説明する金属カバーの一部拡大断面図である。
【図２】本発明の他の実施例を説明する金属カバーの一部拡大断面図である。
【図３】従来例を説明する図で（ａ）は水晶振動子の断面図、（ｂ）は金属カバーの一部拡大断面図である。
【符号の説明】
【００１９】
１  容器本体、２  水晶片、３  金属カバー、４  金属リング、５  導電性接着剤、６  Ｎｉ層、７  銀ロウ。
【図１】
2005151493.tif 000003
【図２】
2005151493.tif 000004
【図３】
2005151493.tif 000005
(57)【要約】【課題】猫の排泄容器の砂が飛び散ることを防止するための、排泄容器自体を収容する容器を提供する。【解決手段】猫用排泄容器自体を収容して、排泄容器の周囲を囲い、容器内の砂の飛び散りを防止し、前面を可倒式または脱着可能にして、掃き出し口を設けたことを特徴とする猫用の排泄用容器自体を収容して砂の飛び散りを防止する容器。【選択図】  図１
2005151950.tif 000002
【特許請求の範囲】
【請求項１】
立方体の構造で、前面とする面を他の３つの立面の２分の１位の高さとし、可倒式または脱着可能な構造の掃き出し口とし、猫の排泄用容器自体を収容して、排泄容器内の砂の飛び散りを防止する容器。
【発明の詳細な説明】
【技術分野】
【０００１】  本発明は、猫の排泄用容器自体を収容して、砂の飛び散りを防止するための道具である。
【背景技術】
【０００２】  従来、猫の排泄用容器自体に、縁やへりを付ける、または容器の上部にふた様のカバーを付けるなどして、砂の飛び散りを防止しようとするものがあった。
【発明の開示】
【発明が解決しようとする課題】
【０００３】  そのために、次のような問題点があった。
（イ）容器自体にふちやへりをなどの工夫を加えても、砂の飛び散りを防止することは困難であった。
（ロ）容器自体の上部にカバーをつけた排泄容器は、通気性が良くないためにかえって不衛生であり、また清掃の際に分解しなければならないなど手間がかかり、煩雑であった。
本発明は、これらの問題点を解決するためになされたものである。
【課題を解決するための手段】
【０００４】  本容器の前面の立面板を可倒式または脱着可能にすることにより、収容した容器の引き出しとこぼれ落ちた砂の掃き出しを容易にする。使用する排泄容器の大きさに合わせて収容できるように、本容器を構成する各部を組合わせて本容器の大きさを調節できるようにする。以上を特徴とする猫用の排泄用容器自体を収容して砂の飛び散りを防止する容器である。
【発明の効果】
【０００５】  猫の排泄容器自体を収容する容器であるので、砂の飛び散りを防止し、清掃の手間を減少させ、また、排泄容器の目隠しにもなるので、側面に絵柄を付けるなどして、清潔感を高める事ができる。
【発明を実施するための最良の形態】
【０００６】  以下、本発明の実施の形態について説明する。
（イ）立方体の構造で、前面の飛び散った砂の掃き出し口とする面に、開閉できる面を設け、他の３つの立面の２分の１位の高さとし、この立面を、図１の（６）（７）（８）の構造により開閉可能な構造にする。
（ロ）図１の構造により各部を容易に組み立てることができ、本容器の大きさを、使用する容器の大きさに合わせて、構成して、使用する。
本発明は以上のような構造である。
【実施例１】
【０００７】  図２に示すように前面の掃き出し口を、溝を設けた構造により着脱可能にする。
【図面の簡単な説明】
【０００８】
【図１】本発明の斜視図
【図２】実施例２の斜視図
【符号の説明】
【０００９】    １  背面板
２  側面板
３  底面板
４  組立穴
５  組立凸部
６  前面掃き出し口
７  ストッパー
【図１】
2005151950.tif 000003
【図２】
2005151950.tif 000004
(57)【要約】      （修正有）【課題】野菜等の香味の増量、新たに香りを着ける、香りを長期に持続させる、また茸類及び融合茸類に香りを着けることを課題とする。【解決手段】デキストリン類、サイクロデキストリン、マイクロデキストリン等の包接能と酸化防止及び不溶性物質の可溶化等の特性を使用して、その粉末及び水溶液を植物の土壌、苗床、菌床等に散布及び植物に直接散布をして、それを植物に吸収させ香味着け及び香りの長期持続をさせる。【選択図】  なし【特許請求の範囲】
【請求項１】
デキストリン類及びサイクロデキストリン、マイクロデキストリン等の包接能と酸化防止効果及び不溶性物質の可溶化等の特性を使用して、植物等の土壌、苗床、菌床等に粉末及び水溶液を散布、もしくは植物に直接散布して、それを植物に吸収させ香味を着けること及び香味の増量効果と香りの長期持続をさせること。
【発明の詳細な説明】
（技術の分野）
【０００１】本発明は、植物等に香味を吸収させ、その香りを長期持続させるものである。
（背景技術）
【０００２】  サイクロデキストリンとは、デンプンに酵素を作用させて得られる環状オリゴ糖で、ブドウ糖が構成単位となっています。ブドウ糖が６個環状に結合したものをアルファ−、７個のものをベ−タ−、８個のものをガンマ−と呼んでいます。サイクロデキストリンはド−ナツのような構造をしており、このド−ナツ構造の輪の外側が親水性、内側が親油性であるために、極めて得意な性質を有しています。特に、各種分子をその空洞内に包み込む性質は、様々な用途に利用されています。例えば、色素の安定化、異味異臭のマスキング、不溶性物質の可溶化、吸湿性の抑制、粘性物質の粉末化等です。
【０００３】  しかし、このデキストリン類の臭いに関しての使用方法は、あくまてでも異味異臭をマスキングをして臭いを封じ込めることにしか使用していません。
（発明の開示）
（発明が解決しようとする課題）
【０００４】  デキストリン類の臭いに関しての有効利用方法の見直しをして、現行の野菜等で香味を多くしたい、新たに香味を着けたい、また香味を長期に持続させたい、また融合茸類に香りを着けるものを開発をしたい。
（課題を解決するための手段）
【０００５】  本発明はデキストリン類の臭いに関する新しい有効利用方法で、植物の生長にあわせて、デキストリン、サイクロデキストリン、マイクロデキストリン等の包接能と可溶化、酸化防止の特徴を利用した技術です。香味を包み込んだデキストリンの粉末及び水溶液等を土壌、苗床、菌床等に散布し植物の根等から吸収及び植物に直接散布をして、香り着けと香りの長期持続を行います。デキストリン類の持つ包接能を新しい形で利用し、現行は異味、異臭を取り除くためにマスキング使用でしかなかった技術を、まったく逆の立場から応用して香味を中に閉じこめ、かつ可溶化と新しく発見をした酸化防止効果を活用した発明です。
（発明の効果）
【０００６】  本発明のデキストリン類の使用方法は、包接能、可溶化、酸化防止などの特徴を包括的に使用し、植物の生長にあわせデキストリン類の粉末及び水溶液を根等及び植物に直接散布をして吸収させることにより、香りの強化と香りの持続性を得られます。このことにより土壌の質の低下に等により香味の薄くなった野菜類、香りのない野菜類、香りのない茸類、融合松茸等に香味の強化として使用をします。また香りのない野菜類、茸類等に新たに香味を着け消費者のニ−ズにあわせた新商品の開発が可能になります。日本の食文化の中で需要の無い又は消費の低い品にも商品としての付加価値と新商品の提供が実現できます。
（発明を実施するための最良の形態）
【０００７】  デキストリン類の各分子を、その空洞内に包み込む性質包接能、可溶化、酸化防止などの特性を包括的に使用することにより、植物に香味を着ける技術と香味を長期持続させる技術を実現した。
（実施例１）
【０００８】  技術開発により椎茸と松茸を融合させ新種の茸があります。しかしながら形状、食感、食味とも松茸に近いものとしての完成はしていますが、香味がありません。この技術の導入により菌床に松茸のデキストリンを散布しますと香味か着きます。
（実施例２）
【０００９】  エリンギ茸は食感、食味は良いのですが香りがまったく無ないため消費が伸びません。これに香味を着けて、より完成した商品ができました。
(57)【要約】      （修正有）【課題】残留農薬や重金属等が排水路から河口を通過し海に流れ込む。海の魚達がその汚水を口にする。日本海には甘エビ、越前かに、若狭カレイ等内臓を共に食す名産が多い。その名産を保護するために安全な餌を漁礁の中に入れて海に沈め、その餌を魚達が食べ産卵や休息場所とし、貝類の付着場所にもなるようにする。魚に安全な餌（動植物性残さ）を提供する。【解決手段】海底に沈めた容器に出入りする魚に、動植物性残さ、例えば、ビール粕、醤油粕、食品汚泥、豆腐粕、コーヒー滓、麦粕、茶殻等から造られた餌を与える。【選択図】図１
2005151956.tif 000002
【特許請求の範囲】
【請求項１】
産業廃棄物（動植物性残さ）をリサイクルし、養殖魚又は近海の魚にも安全な餌を与えようとするものです。
【請求項２】
各河川から流れ込む水にはシアン化合物、水銀、鉛、ＰＣＢ等を含んだ企業からの排水が混じり、それを食べた魚類の内蔵は重金属が一杯であると思われる。水銀系の毒素は体内で消えることなく体内に蓄積していく。その魚類を人間が食していることになる。深海魚等大型の魚は内蔵を取り出すが、日本海等で捕れる甘エビ、かに、イカ等は内臓も一緒に食していることになる。
【発明の詳細な説明】
【発明の詳細な説明】
【０００１】  化学肥料、消毒剤、有機リン剤等は神経障害を生じ、近視、乱視、自律神経症、遺伝毒性精巣の造精障害も起こり、現に少子化として聞き流すが人間障害が発生している。その防止を兼ねた魚の餌を作り魚類に与える。最近、２０ｋｍ沖合の海底に家屋位の大きさの漁礁を置くが、その中にも餌を備蓄したい。
【発明に属する技術分野】
【０００２】  ビール粕、コーヒー粕、米ぬか、豆腐粕、醤油粕、茶粕等を発酵させ澱粉のり、糖蜜等で固形化し小さな甘エビから深海魚のカジキ等が口でつつけば分解して口にすることのできる硬さのペレット状にする。
【背景技術】
【０００３】  養殖場でも餌を与えているが、ウィルス等が充満して大量死する場合があると思われる。
【発明が解決しょうとする課題】
【０００４】  福井県の日本海には１５基の原子力発電所があるが原発から流れ出る冷却水が海水に混る。クラゲが蔓延して定置網にかかり漁ができなくなるため酸化カルシウムを散布し超冷水にする必要がある。
【課題を解決するための手段】
【０００５】  私は現在下水汚泥等で肥料を作っていますが、下水処理場も機械の調子が悪い日は脱水汚泥のできが悪く下水を下流に放流させています。脱水、脱臭、重金属等の分別ができていない下水が海に流れ、汚水の中のプランクトンを甘エビ、カニ等の小魚が食べ、その小魚を中魚が食べるという様に魚の体内で水銀系の濃縮化が進みこの魚を人間が食べると体内にメチル水銀等が入る。魚に無害の餌を与え、小魚達を急成長させ保護する必要がある。安全な魚を豊富に育て格安で食したいものです。
【０００６】  容器の材料としては
（１）発砲スチロール      廃棄物の発砲スチロールを粉砕しながら１２０度位に加熱しプレス型に流し込み長方形に固形化する方式。図１の容器の重さは２０〜３０ｋｇ位で海底に沈めても海上に浮上することはない。魚は進入路から出入りし餌を食べ易くする。潮の流れの速い所では一時休む所となる。産卵場所ともなり貝類等も容器に付着する。福井名産の甘エビ、越前かに、若狭カレイ等を保護するのが目的であります。
（２）間伐材又は家屋解体材
（３）コンクリート二次製品
魚の餌            農林水産省      魚連
ビール粕
醤油粕
食品汚泥
豆腐粕
コーヒー粕
麦粕（茶がら）
魚のあら処理に困っている状態なので考慮したが海水の汚染により水銀系が内臓に蓄積し脳の神経を麻痺させるため魚のあらは混入しない。上記廃棄物を発酵させペレット化して養殖場はもちろん大海の魚にも餌として与えて、口にしても安全な魚としなければ現状のままでは人間が口にできなくなるかもしれないため海の汚染から魚を守り安全な魚を育てたい。
2005151956.tif 000003
【手続補正書】
【提出日】平成16年6月8日(2004.6.8)
【手続補正２】
【補正対象書類名】明細書
【補正対象項目名】図１
【補正方法】変更
【補正の内容】
2005151956.tif 000004
2005151956.tif 000005
2005151956.tif 000006
【手続補正書】
【提出日】平成16年8月23日(2004.8.23)
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】    ビール粕、コーヒー粕、米ぬか、豆腐粕、醤油粕、茶粕等を発酵させでんぷん糊、糖蜜等で固形化し小さな甘エビから深海魚のカジキ等が口でつつけば分解して口にすることのできる硬さのペレット状にする。
【発明の詳細な説明】
【０００２】    化学肥料、消毒剤、有機リン剤等は神経障害を生じ近視、乱視、自律神経症、遺伝毒性精巣の造成障害も起こり、現に少子化として聞き流すが人間障害が発生している。その防止を兼ねた魚の餌を作り魚類に与える。最近、沖合２０ｋｍの海底に家屋位の大きさの漁礁を置いているがその中にも餌を備蓄したい。
【背景技術】
【０００３】    養殖場でも餌を与えているが、ウィルス等が充満して魚が大量死する場合がある。
【発明が解決しょうとする課題】
【０００４】    福井県の日本海には１５基の原子力発電所があるが原発から流れ出る冷却水が海水に混ざると温暖水となり、そこにはクラゲが発生し排水口に群がるため、その場でクラゲを捕獲する必要がある。クラゲが蔓延して定置網に掛かり漁ができなくなるため酸化カルシウムを散布して超冷水にする必要がある。
【課題を解決するための手段】
【０００５】    下水処理場では機械の調子が悪い日には脱水汚泥のできが悪く、下水を河川に放流しているのが現状で脱水、脱臭、重金属等の分別ができていない下水が海に流れ、汚水の中のプランクトンを甘エビ、カニ等の小魚が食べその小魚を中魚が食べるというように魚の体内で水銀系の濃縮化が進み、この魚を人間が食べると体内にメチル水銀等が蓄積し、病気になる原因となる。人間の体に必要なイワシ等の青魚を安全で格安に食すために無害の魚の餌を与え保護する必要がある。魚の餌を容器に入れ海底に沈め潮の流れの速い所では一時休息したり産卵場所にもなるようにする。容器の材料としては廃発砲スチロール、間伐剤、家屋解体廃材等の廃棄物とコンクリート二次製品を使用し重さ２０〜３０ｋｇで製造して海底に沈めても海面に浮上しないようにする。
【図面の簡単な説明】
【０００６】
【図１】    魚の餌の容器（漁礁）
【符号の説明】
【０００７】  １．縦            １２０ｃｍ
２．横            １５０ｃｍ
３．高さ          １２０ｃｍ
４．魚の進入穴      ３０ｃｍ
５．厚さ              ５ｃｍ
６．餌の投入口      ３０ｃｍ
【手続補正３】
【補正対象書類名】手続補正書
【補正対象項目名】手続補正３
【補正方法】追加
【補正の内容】
【手続補正３】
【補正対象書類名】図面
【補正対象項目名】全図
【補正方法】追加
【補正の内容】
【図１】
2005151956.tif 000007
(57)【要約】【課題】携帯電話による音声出力システムを開発し、電子メールやインターネットホームページの情報を視覚障害者でも利用可能にする画期的な方法。【解決手段】ひらがなテキストデータを読み上げる軽微なアプリケーションソフトを携帯電話上で稼動させ、専用サーバーと通信を行い、専用サーバー側で漢字やカタカナが混じった電子メールやインターネットホー厶ページの情報をひらがなテキスト化して携帯電話に配信することで音声出力を可能とした。【選択図】図１
2005151516.tif 000002
【特許請求の範囲】
【請求項１】
携帯電話を用いて電子メールやホー厶ページなどのインターネット上の情報を音声出力する方法であって、クライアントソフトが実装された携帯電話と専用サーバーで構成され、携帯電話に対しては、ひらがなで書かれたテキストデータを読み上げる軽微なアプリケーションソフトを稼動させ、専用サーバーと通信を行い、専用サーバーに対しては、携帯電話のリクエストに応じてインターネット上の電子メールやｈｔｍｌ文書をテキストデータ化し、更にテキストデータ中の漢字やカタカナをひらがな化して携帯電話に配信することで音声出力を可能とする方法。
【発明の詳細な説明】
【発明の詳細な説明】
【技術分野】
【０００１】  本発明は、携帯電話に配信される情報を音声に変換して出力する技術分野に属する。
【背景技術】
【０００２】  近年の携帯電話の普及は目覚しく、電子メールなどの機能が契約者の増加を助長し、現在では８０００万人に迫る勢いで契約者が増加している。一方で全国の視覚障害者の数は３５万人以上にのぼり、これらの障害者は携帯電話の電子メールといった、携帯電話を見る機能の使用が困難となっている。【０００３】  パソコン上でモニターに表示される電子メールの情報は、視覚障害者向けにソフトウェアを用いて音声出力することが可能で、この技術は視覚障害者にとって不可欠なものとなっている。【０００４】  しかし、携帯電話において音声出力可能なハードウェアは存在するものの、パソコンと同様のソフトウェアはいまだ開発されていない。これは視覚障害者と健常者の携帯電話使用におけるデジタルディバイドとなっている。【０００５】  現在までに上記のソフトウェアが開発されない理由は、携帯電話上で稼動するするソフトウェア（以下、ＪＡＶＡアプリケーションソフトと称する）の容量に制限があるために、パソコンと同様に漢字辞書機能を持った大容量のソフトウェアを携帯電話に導入して音声出力することは実質不可能であるからである。
【発明が解決しようとする課題】
【０００６】  本発明は、上記の問題を解決し電子メールやインターネットホー厶ページの情報を携帯電話で音声出力を可能にする新規なシステムである。
【課題を解決するための手段】
【０００７】  ひらがなで書かれたテキストデータを単音で音声出力する軽微なアプリケーションソフトを開発し、携帯電話上で稼動させる。このアプリケーションソフトは専用サーバーと通信を行い、専用サーバーを通じて、電子メールやホームページのなどのインターネット情報が取得できるようにする。
【０００８】  専用サーバーは、携帯電話のＪＡＶＡアプリケーションソフトのリクエストに応じて、インターネット上の電子メールサーバーやホームページサーバーにアクセスして情報を取得し、電子メールやｈｔｍｌ文書をテキストデータ化する。更に受信したテキストデータ中の漢字やカタカナをサーバー内の漢字辞書機能を用いて全てひらがなに変換してリクエスト元の携帯電話に配信する。
【０００９】  ひらがなテキストデータを受信した携帯電話のＪＡＶＡアプリケーションソフトは内容を解析し、単音で音声出力する。
【００１０】  このように携帯電話上のＪＡＶＡアプリケーションソフトと、専用サーバーを連携させることで、携帯電話に実装可能な小さな容量のＪＡＶＡアプリケーションソフトでありながら、パソコン同様の高度な音声読み上げが可能となる。
【この発明の波及性】
【００１１】  本発明におけるシステムは、携帯電話各社が共通プラットホームとして採用するＪＡＶＡアプリケーションソフトとインターネット上の専用サーバーからから構成されるため、携帯電話の機種依存性が低く、バージョンアップもインターネットを通じて容易に行える。
【００１２】  ソフトウェアによって解決した音声出力システムは、専用のハードウェア機器に比して、特定の地域やグループの視覚障害者が使い易いようにカスタマイズすることも容易に行える。
【００１２】  近年の携帯電話の進歩は目覚しく、携帯電話そのものがＧＰＳや電子財布などのツールとなりうる可能性がある。
【００１３】  特にＧＰＳ機能と本発明のシステムを組み合わせることで、視覚障害者に目的地誘導の役割を果たす可能性があり、社会に絶大なる貢献を及ぼすことが示唆される。
【図面の簡単な説明】
【図１】視覚障害者が音声出力するＪＡＶＡアプリケーションソフトが実装された携帯電話を用いて、ホームページや電子メールを利用する概念図。
【図１】
2005151516.tif 000003
(57)【要約】【課題】本発明は単独的な温度計を付属すると、暗闇で温度は確認できにくい。【手段】電子式感知機を付属しますと、携帯電話の内部能力の効果で、暗闇でも温度は確認できる。【選択図】図１
2005151513.tif 000002
【特許請求の範囲】
【請求項１】
温度を感知する機能を持ちそれを表現出来る携帯電話機
【請求項２】
温度を感知する機能が如何なる方法であっても温度を知らせることが出来る携帯電話機
【請求項３】
温度を表現する機能が如何なる方法であっても温度を知らせることが出来る携帯電話機
【発明の詳細な説明】
【発明の詳細な説明】
【技術分野】
【０００１】  本発明は、携帯電話機で暑い時、寒い時の気温を知ることが出来る、又様々な種類の温度が計れる。
【背景技術】
【０００２】  従来の携帯電話機ですと、万歩計などが着いている物もあります。
【発明が解決しようとする課題】
【０００３】  常時、何処でも温度が分かる。
【課題を解決するための手段】
【０００４】  携帯電話機の本体（１）所に小型温度計を付けました。
（１）の位置は何処でも構いません。
【発明を実施するための最良の形態】
【０００５】  本発明は気温を知りたい時、衣服などのポケットに入っていて取り出した場合体温により少し高めの時もありますが、少し時間が過ぎると正常に計れます。
感知する設置場所により体温なども計れます。
本発明の試作品を紹介します
携帯電話機の画面右側のスペースに温度計を埋め込みました。
携帯電話機より温度計が沈んでいる、又透明なカバーを張ることが可能の為、折りたたみ式の携帯電話機でも壊れる心配はありません。
応用例として、電子式の温度センサーを使用する、この場合温度センサーから携帯電話機に感知信号を送り内部機能の解読により温度を画面に表示することも出来る。
【発明の効果】
【０００６】  出掛けに体調が悪くなった場合、何か体調が良くない、気温が高い様子だが寒けがするこんな時、携帯電話機で気温を知る事により、身体の異常を確認し無理な行動をしない。
私は農家ですが、農作物の管理で一番大事なことは温度管理です、気温の変化で対処の仕方が大きく変わります、ハウス栽培などでは温度計は付き物ですが、果樹園に温度計を設置の方はそうはいないと思います、畑仕事で忙しい時、気温が分からない時の為に温度計付き携帯電話が役にたつ、気温の変化に応じて作業計画を進めることができます。
【図面の簡単な説明】
【図１】本発明の斜面図
【図２】本発明の正面図
【符号の説明】
（１）温度計
【図１】
2005151513.tif 000003
【図２】
2005151513.tif 000004
(57)【要約】【課題】ストラップ等を使用することなく携帯電話機に容易に取り付けられる携帯電話機用クリーナーを提供する。【解決手段】  一方側面を携帯電話機１０面に取り外し可能に貼り付けられる貼り付け面２とし、他方側面を携帯電話機表示部のクリーナー面６とすることを特徴とする携帯電話機用クリーナー１、さらに、その携帯電話機用クリーナー１と、その携帯電話機用クリーナー１がその貼り付け面において貼り付けられる被貼り付け部１２を備えるプレート１１と、そのプレート１１が内部に納められる透明の袋体１４とからなる携帯電話機用クリーナー包装体。【選択図】  図３
2005151515.tif 000002
【特許請求の範囲】
【請求項１】
一方側面を携帯電話機面に取り外し可能に貼り付けられる貼り付け面とし、他方側面を携帯電話機表示部のクリーナー面とすることを特徴とする携帯電話機用クリーナー。
【請求項２】
請求項１記載の携帯電話機用クリーナーと、その携帯電話機用クリーナーがその貼り付け面において貼り付けられる被貼り付け部を備えるプレートと、そのプレートが内部に納められる透明の袋体とからなる携帯電話機用クリーナー包装体。
【発明の詳細な説明】
【技術分野】
【０００１】  この発明は、携帯電話機の表示画面を拭くように用いられる携帯電話機用クリーナーに関する。
【背景技術】
【０００２】  最近携帯電話機のストラップに携帯電話機の表示画面を拭くための布状のクリーナーを取り付けたものがある。しかしながら上記のようにストラップをクリーナーの取り付けに使用するとストラップにキャラクターグッズ等を取り付けたり、またストラップの端部を衣服に係止するようなことができなくなる。ストラップを複数本用いると費用がかかるとともに、携帯電話の扱いにも支障が生じる。
【発明の開示】
【発明が解決しようとする課題】
【０００３】  この発明では、ストラップ等を使用することなく携帯電話機に容易に取り付けられる携帯電話機用クリーナーを提供することを目的とする。
【課題を解決するための手段】
【０００４】  この発明（請求項１）では、一方側面を携帯電話機面に取り外し可能に貼り付けられる貼り付け面とし、他方側面を携帯電話機表示部のクリーナー面とすることを特徴とする携帯電話機用クリーナーを提供する。【０００５】  上記構成によれば、非使用時にはその貼り付け面において貼り付けておくことでクリーナーを簡易に携帯電話機に一体に付設できる。【０００６】  さらに、この発明（請求項２）では、請求項１記載の携帯電話機用クリーナーと、その携帯電話機用クリーナーがその貼り付け面において貼り付けられる被貼り付け部を備えるプレートと、そのプレートが内部に納められる透明の袋体とからなる携帯電話機用クリーナー包装体を提供する。【０００７】  上記構成によれば、携帯電話機用クリーナーを袋体内部に外部から見やすく安定した状に納めることができる。
【発明の効果】
【０００８】  この発明（請求項１）によれば、従来のようにストラップ等を使用することなく簡易に携帯電話機に一体に付設できる携帯電話機用クリーナーが得られる。【０００９】  さらに、この発明（請求項２）によれば、請求項１の発明の携帯電話機用クリーナーの展示販売等に好適な包装形態が得られる。
【発明を実施するための最良の形態】
【００１０】  図１はこの発明の携帯電話機用クリーナーの外観正面図、図２は外観側面図である。携帯電話機用クリーナー１は、ハート形状で一方側面が携帯電話機面への貼り付け面２とされる軟質樹脂シート３と、その他方側面に付設される不織布よりなるクリーナー５とからなる。軟質樹脂シート３の貼り付け面２は特殊加工によるミクロの吸盤が設けられることで吸着機能を持つ構成とされている。クリーナー面６にはデザイン模様７がプレス印刷により設けられている。【００１１】  このような構成により、その貼り付け面２が樹脂や金属等の円滑面に吸着することで、非使用時には、図３に示すように、携帯電話機１０の蓋面に貼り付けられて使用される。そして、貼り付け面２を外しそのクリーナー面６により携帯電話機１０の表示面を拭くように用いられる。【００１２】  図４は上記携帯電話機用クリーナー１の販売時等の包装形態を示す。１１は紙製のプレートであり、その一部に印刷により円滑面とされた被貼り付け部１２を備え、その被貼り付け部１２に携帯電話機用クリーナー１が貼り付けられたプレート１１が透明のフィルムよりなる袋体１４内に納められている。このような構成により携帯電話機用クリーナー１は袋体１４内部に安定した状態で納められ、しかも外部から見やすい状態において展示販売が行なわれる。
【図面の簡単な説明】
【図１】  この発明の携帯電話機用クリーナーの実施形態の外観正面図
【図２】  この発明の携帯電話機用クリーナーの実施形態の外観側面図
【図３】  この発明の携帯電話機用クリーナーの実施形態の携帯電話機への取り付け状態を示す斜視図
【図４】  この発明の携帯電話機用クリーナー包装体の実施形態の外観正面図
【符号の説明】
１  携帯電話機用クリーナー
２  貼り付け面
３  樹脂シート
５  クリーナー
６  クリーナー面
【図１】
2005151515.tif 000003
【図２】
2005151515.tif 000004
【図３】
2005151515.tif 000005
【図４】
2005151515.tif 000006
(57)【要約】      （修正有）【課題】伸縮性のスリーブとこのスリーブを気密に包囲するバルブ本体とで構成して前記スリーブと前記バルブ本体との間であるパイロット部に圧縮空気を出入させることにより開閉するようにしたピンチバルブを作動させる方法において、時間の経過に伴ってスリーブが内側に向かって撓むようなことのないピンチバルブの作動方法を提供する。【解決手段】ピンチバルブを開く時にはパイロット部を吸引減圧することを特徴とする。【選択図】図１
2005133857.tif 000002
【特許請求の範囲】
【請求項１】
伸縮性のスリーブとこのスリーブを気密に包囲するバルブ本体とで構成して前記スリーブと前記バルブ本体との間であるパイロット部に圧縮空気を出入させることにより開閉するようにしたピンチバルブを作動させる方法であって、
前記ピンチバルブを開く時には前記パイロット部を吸引減圧することを特徴とするピンチバルブの作動方法。
【請求項２】
伸縮性のスリーブとこのスリーブを気密に包囲するバルブ本体とで構成して前記スリーブと前記バルブ本体との間であるパイロット部に圧縮空気を出入させることにより開閉するようにしたピンチバルブを作動させる装置であって、
前記パイロット部に方向切換弁を介して真空源と圧縮空気源を並列的に接続して、
前記方向切換弁の切り換えにより、ピンチバルブを開く時には前記パイロット部を真空源に、また、前記ピンチバルブを閉じる時には前記パイロット部を圧縮空気源にそれぞれ接続することを特徴とするピンチバルブの作動装置。
【発明の詳細な説明】
【技術分野】
【０００１】
本発明は、ピンチバルブを作動させる方法およびその装置に関する。      
【背景技術】
【０００２】
従来、図３に示すように、ピンチバルブ１１の一つして、伸縮性のスリーブ１２とこのスリーブ１２を気密に包囲するバルブ本体１３とで構成して、前記スリーブ１２と前記バルブ本体１３との間であるパイロット部１４に四方口方向切換弁１５を介して圧縮空気を出入させることにより開閉するようにしたものがある（例えば、特許文献１参照）。
【特許文献１】特開平７−２８０１０８号公報
【０００３】
しかし、このように構成されたピンチバルブ１１は、例えば、輸送管を介して圧縮空気により粉粒体を輸送する、いわゆる空気輸送装置の輸送管に配設すると、開閉によりスリーブ１２の伸縮が繰り返されるため、時間の経過に伴って、スリーブ１２が内側に向かって撓むように変形し、その結果、スリーブ１２は粉粒体に擦られて早期に摩耗してしまうなどの問題があった。
【発明の開示】
【発明が解決しようとする課題】
【０００４】
本発明は上記の事情に鑑みてなされたもので、その目的は、時間の経過に伴ってスリーブが内側に向かって撓むようなことのないピンチバルブの作動方法およびその装置を提供することにある。
【課題を解決するための手段】
【０００５】
上記の目的を達成するために本発明におけるピンチバルブの作動方法は、伸縮性のスリーブとこのスリーブを気密に包囲するバルブ本体とで構成して前記スリーブと前記バルブ本体との間であるパイロット部に圧縮空気を出入させることにより開閉するようにしたピンチバルブを作動させる方法であって、前記ピンチバルブを開く時には前記パイロット部を吸引減圧することを特徴とする。
【０００６】
ピンチバルブのパイロット部を吸引減圧すると、スリーブは膨張して内側に向かって撓むようなことはない。
【発明の効果】
【０００７】
以上の説明から明らかなように本発明は、伸縮性のスリーブとこのスリーブを気密に包囲するバルブ本体とで構成して前記スリーブと前記バルブ本体との間であるパイロット部に圧縮空気を出入させることにより開閉するようにしたピンチバルブを作動させる方法であって、前記ピンチバルブを開く時には前記パイロット部を吸引減圧するから、スリーブは膨張するため、時間の経過に伴ってスリーブが内側に向かって撓むのを確実に防止することができるなどの優れた実用的効果を奏する。
【発明を実施するための最良の形態】
【０００８】
以下、本発明の一実施例について図１および図２に基づき詳細に説明する。図示しない空気輸送装置の輸送管に配設されたピンチバルブ１１の作動装置は、前記ピンチバルブ１１のパイロット部１４に四方口方向切換弁１を介して真空源２と圧縮空気源３が並列的に接続した構造になっている。
【０００９】
なお、前記ピンチバルブ１１は図３に示す従来のものと構造および作用が同じなのでその説明を省略する。また、枠体内の硅砂を樹脂フィルムで包囲した後前記枠体内を吸引減圧することにより枠体内の硅砂を固化させて鋳型を造型するようにしたいわゆる減圧鋳型造型法において、前記硅砂の輸送に前記空気輸送装置を用いることにより、前記枠体内を吸引減圧する真空源を、前記パイロット部１４を吸引減圧する前記真空源２として利用することができる。これにより、設備費を削減することが可能である。
【００１０】
このように構成したものは、ピンチバルブ１１を開く時には、四方口方向切換弁１の切換により、パイロット部１４を真空源２に接続してパイロット部１４を吸引減圧する。このパイロット部１４の吸引減圧に伴い、伸縮性のスリーブ１２は外側へ向かって伸長して膨張する（図１参照）。このため、時間が経過しても、スリーブ１２は内側に向かって撓むようなことはない。なお、ピンチバルブ１１を閉じる時には、四方口方向切換弁１の切換により、パイロット部１４を圧縮空気源３に接続してパイロット部１４に圧縮空気し、スリーブ１２を内側へ向けて伸長させてピンチバルブ１１を閉じる（図２参照）。
【図面の簡単な説明】
【００１１】
【図１】本発明の一実施例の模式図および作動説明図である。
【図２】本発明の一実施例の作動説明図である。
【図３】従来のピンチバルブの模式図である。
【符号の説明】
【００１２】
１  四方口方向切換弁
２  真空源
３  圧縮空気源
１１   ピンチバルブ
１２   スリーブ
１４   パイロット部
【図１】
2005133857.tif 000003
【図２】
2005133857.tif 000004
【図３】
2005133857.tif 000005
(57)【要約】【課題】  美観を損なうことなく開口部端面にヒンジを介して蓋を開閉可能に取り付けることができるヒンジ機構を提供すること。【解決手段】  開口部端面に開閉可能に蓋を取り付けるためのヒンジ機構であって、  開口部端面にヒンジを固定するためのねじは段付部を有し、この段付部の径はヒンジの取付穴径よりも小さく、段付部の高さはヒンジの板厚より大きく形成され、  蓋にヒンジを固定するためのねじはヒンジの板厚と等しい頭部高さの皿ねじであることを特徴とするもの。【選択図】                    図１
2005133854.tif 000002
【特許請求の範囲】
【請求項１】
開口部端面に開閉可能に蓋を取り付けるためのヒンジ機構であって、
開口部端面にヒンジを固定するためのねじは段付部を有し、この段付部の径はヒンジの取付穴径よりも小さく、段付部の高さはヒンジの板厚より大きく形成され、
蓋にヒンジを固定するためのねじはヒンジの板厚と等しい頭部高さの皿ねじであることを特徴とするヒンジ機構。
【請求項２】
前記蓋は、密閉型容器の開口部の端面に開閉可能に取り付けられることを特徴とする請求項１記載のヒンジ機構。
【発明の詳細な説明】
【技術分野】
【０００１】
本発明はヒンジ機構に関し、詳しくは、電子機器の開閉蓋の取り付けなどに用いる機構の改善に関するものである。
【背景技術】
【０００２】
図３は、従来のヒンジ機構の一例を示す構成図であり、（Ａ）は蓋が開いている状態を示し、（Ｂ）は蓋が閉じている状態を示している。
【０００３】
図３において、密閉型容器1にはヒンジ2を介して開閉可能なように蓋3が取付けられている。密閉型容器1の開口部の蓋3との対向面には開口部を囲むように連続した溝部4が形成されていて、この溝部4には密閉のためのパッキン5が埋設されている。蓋3の密閉型容器1の開口部との対向面には、溝部4に嵌め合ってパッキン5を押圧し密閉するようにリブ6が形成されている。
【０００４】
蓋3を閉めて密閉型容器1の開口部を密閉するのにあたっては、蓋3に抜け止め加工されコイルばね7を介して取り付けられているねじ8により、蓋3を密閉型容器1にねじ止め固着する。
【０００５】
一方、ヒンジ2は、ヒンジの組立誤差、蓋2や密閉型容器1のねじ穴の加工誤差、さらには各部品の形状の個体差を吸収するために、ねじ8により蓋3を密閉型容器1にねじ止め固着して密閉型容器1の開口部を密閉した状態で、ねじ9により固定される。
【発明の開示】
【発明が解決しようとする課題】
【０００６】
このために、図３の構成によれば、ヒンジ2やヒンジ2を固定するねじ9が外にむき出しになり、美観を損なうという問題がある。
【０００７】
本発明は、このような従来の問題点を解決するものであり、その目的は、美観を損なうことなく開口部端面にヒンジを介して蓋を開閉可能に取り付けることができるヒンジ機構を提供することにある。
【課題を解決するための手段】
【０００８】
このような課題を達成するために、本発明のうち請求項１記載の発明は、
開口部端面に開閉可能に蓋を取り付けるためのヒンジ機構であって、
開口部端面にヒンジを固定するためのねじは段付部を有し、この段付部の径はヒンジの取付穴径よりも小さく、段付部の高さはヒンジの板厚より大きく形成され、
蓋にヒンジを固定するためのねじはヒンジの板厚と等しい頭部高さの皿ねじであることを特徴とする。
【０００９】
請求項２記載の発明は、請求項１記載のヒンジ機構において、
前記蓋は、密閉型容器の開口部の端面に開閉可能に取り付けられることを特徴とする。
【発明の効果】
【００１０】
本発明のヒンジ機構によれば、蓋を閉じた状態でヒンジの一部が露出するだけであり、美観を大きく損ねることはない。
【００１１】
また、蓋を閉じた状態において蓋は全方向に移動可能であることから、組立誤差、加工誤差、各部品の形状の個体差などを全て吸収されることになり、組立にあたって細かい調整は不要になり、組立作業の効率化が図れる。
【発明を実施するための最良の形態】
【００１２】
以下、本発明を図面を用いて詳細に説明する。図１は本発明の一実施例を示す構成図、図２は主要部の拡大図であり、（Ａ）は蓋が開いている状態を示し、（Ｂ）は蓋が閉じている状態を示していて、図３と共通する部分には同一の符号を付けている。
【００１３】
図１と図３の違いは、ヒンジ10を蓋3を閉じた状態の内側でねじ11と12により固定するのにあたり、これらねじ11と12に工夫をしていることである。
【００１４】
すなわち、ヒンジ10の一端はねじ11を介して密閉型容器1の開口部の端面にねじ止め固定され、他端はヒンジ10の板厚と等しい頭部高さの皿ねじ12を介して蓋3の密閉型容器1の開口部との対向面にねじ止め固定されている。
図１の主要部分について、図２の拡大図を用いて説明する。ねじ11には、段付部11aが設けられている。段付部11aの径はヒンジ10の穴径よりもＡだけ小さく、段付部11aの高さはヒンジ10の板厚よりＢだけ大きく形成されている。このような段付部11aが形成されたねじ11でヒンジ10を密閉型容器1の開口部の端面に固定することにより、蓋3は密閉型容器1の開口部端面に対して上下前後左右全ての方向に移動可能となる。
【００１５】
このように構成することにより、蓋3を閉じたときに発生するヒンジ10の組立誤差、蓋3や密閉型容器1のねじ穴の加工誤差、各部品の形状の個体差などは、ヒンジ10とねじ11の段付部11aとの間の遊び部分で全て吸収されることになり、図３の（Ｂ）に示す従来と同様に蓋3を密閉型容器1の開口部端面に密着させた状態でねじ8により固定できる。
【００１６】
そして、これらの組立にあたって細かい調整は不要になることから、組立作業の効率化が図れる。
【００１７】
さらに、蓋3を閉じた状態に着目すると、ヒンジ10の一部が露出するだけであって図３のようにヒンジ2全体やその固定ねじ9がむき出しになることはなく、ヒンジ10の露出によって美観を大きく損ねることはない。
【００１８】
なお、上記実施例では、蓋3を密閉型容器1の開口部端面に密着させる例について説明したが、これに限るものではなく、ヒンジ全体を外部に露出させたくない場合の各種のヒンジ取付にも有効である。
【００１９】
以上説明したように、本発明のヒンジ機構によれば、細かい調整が不要で、美観を損なうことなく開口部端面にヒンジを介して蓋を開閉可能に取り付けることができる。
【図面の簡単な説明】
【００２０】
【図１】本発明の一実施例を示す構成図である。
【図２】本発明の主要部の拡大図である。
【図３】従来のヒンジ機構の一例を示す構成図である。
【符号の説明】
【００２１】
１  密閉型容器
３  蓋
４  溝
５  パッキン
６  リブ
７  コイルばね
８  ねじ
１０  ヒンジ
１１  ねじ
１１ａ  段付部
１２  皿ねじ
【図１】
2005133854.tif 000003
【図２】
2005133854.tif 000004
【図３】
2005133854.tif 000005
(57)【要約】【課題】      男子が洋便器を起立して使用し小便を行う時の洋便器外への尿だれ飛散を防止するための、洋便器用男子小便尿だれ飛散防止器具を提供する。【解決手段】  洋便器内方向に擂鉢状の傾斜加工を施したＵ字状の尿だれ受け皿をバネの伸縮力を持つ設置金具により洋便器手前縁に装着し、落下してくる尿だれを受け止め、擂鉢状の傾斜を利用して尿を便器内に戻し入れることを特徴とする洋便器用男子小便尿だれ飛散防止器具である。【選択図】    図１
2005133525.tif 000002
【特許請求の範囲】
【請求項１】
洋便器内方向に擂鉢状の傾斜加工を施したＵ字状の尿だれ受け皿をバネの伸縮力を持つ設置金具により洋便器手前縁に装着し、落下してくる尿だれを受け止め、擂鉢状の傾斜を利用して尿を便器内に戻し入れることを特徴とする洋便器男子小便尿だれ飛散防止器具。
【発明の詳細な説明】
【技術分野】
【０００１】  本発明は男子が洋便器を起立して使用し小便を行う時の洋便器外への尿だれ飛散を防止する器具に関するものである。
【背景技術】
【０００２】  従来の洋便器を使用しての男子起立時の小便では、洋便器外への尿だれ飛散の痕跡が多数観察される。洋便器外へ飛散した尿だれは不衛生であり、使用者に不快感を与え、それを解消する為に清掃回数も多く、清掃作業者の負担も大きい。
【発明の開示】
【発明が解決しようとする課題】
【０００３】  そのために次のような問題点があった。
（イ）従来の洋便器使用では男子起立時の小便による尿だれが洋便器外に落下してトイ      レ床面を汚し不衛生である。
（ロ）従来の洋便器使用では尿だれの痕跡により後続の使用者に不快感を与える。
（ハ）トイレ清掃作業者の不快感及び清掃回数が多く清掃作業者の負担が大きい。
本発明は、以上の問題点を解決するためになされたものである。
【課題を解決するための手段】
【０００４】  洋便器内方向に擂鉢状の傾斜加工を施したＵ字状の尿だれ受け皿をバネの伸縮力を持つ設置金具により洋便器手前縁に装着し、落下した尿だれを受け止め、擂鉢状の傾斜を利用して尿を便器内に戻し入れることを特徴とする洋便器用男子小便尿だれ飛散防止器具である。
【発明の効果】
【０００５】  （イ）尿だれを受け止め、洋便器内に戻し入れることにより格段に衛生面が向上する。
（ロ）（イ）の効果によりトイレ消掃回数の削減になる。
（ハ）尿だれによる痕跡から来る利用者の不快感がなくなる。
（ニ）使用者自身の尿だれに対する気遣いを軽減できる。
（ホ）尿だれ受け皿を洋便器縁から外して簡単に洗浄することができ衛生的である。
（ヘ）従来発売されている洋便器縁は各メーカーごとに多少の形状と寸法の違いが認め      られるが、バネによる伸縮性ある設置金具の対応力により設置が可能である。
【発明を実施するための最良の形態】
【０００６】  以下、本発明の実施の形態について説明する。
（イ）プラスチック材料を射出成型製法により擂鉢状の傾斜加工（７）を施したＵ字状        の尿だれ受け皿（１）と支柱（２）及び設置金具取り付け穴（３）を一体成型製        法にて製作する。
（ロ）固定板（４）を有した設置金具（５）に伸縮性を有したバネ（６）を装着し、（        イ）によって作られた尿だれ受け皿（１）の裏面に設けられた設置金具取り付け        穴（３）に通し、設置金具（５）の後部を潰して抜けなくし設置金具（５）を本        体である尿だれ受け皿（イ）に取り付ける。
本発明は以上のような構造で、これを使用するときは、支柱（２）を洋便器縁手前内側に入れ合わせ、尿だれ受け皿（１）を洋便器縁に乗せる。尿だれ受け皿（１）の裏面にあるバネ（６）による伸縮力を持つ設置金具（５）を収縮させて、使用している洋便器縁に装着しうる寸法に合わせて収縮を解き放ち、洋便器縁手前位置に装着し使用する。
【図面の簡単な説明】
【０００７】
【図１】本発明の裏面斜視図
【図２】本発明の平面図
【図３】本発明の正面図
【図４】本発明の右側面図
【図５】本発明の裏面設置金具拡大図
【図６】本発明の使用状態を示す斜視図
【符号の説明】
【０００８】      １    尿だれ受け皿
２    支柱
３    設置金具取り付け穴
４    固定板
５    設置金具
６    バネ
７    擂鉢状の傾斜
【図１】
2005133525.tif 000003
【図２】
2005133525.tif 000004
【図３】
2005133525.tif 000005
【図４】
2005133525.tif 000006
【図５】
2005133525.tif 000007
【図６】
2005133525.tif 000008